(57)【要約】【課題】リモートＰＣから送信されたアプリのジョブに対し、少ない操作ステップ数でジョブを実行すること。【解決手段】アプリケーションを呼び出すためのショートカットを含む操作画面の画面情報をユーザ毎に記憶する記憶手段と、ネットワークを介して接続された情報処理装置からアプリケーションのジョブ要求が受信された場合、要求されたジョブの情報に基づいてジョブを実行するためのジョブショートカットを作成し、ジョブを要求したユーザの画面情報に対して更新を要求するショートカット作成手段と、画面情報に対する更新要求を受けると、作成されたジョブショートカットの情報を、ジョブを要求したユーザの画面情報に追加する画面管理手段と、認証されたユーザを管理するユーザ管理手段と、管理されたユーザの画面情報に基づき、ジョブショートカットを含む操作画面を作成する画面作成手段と、作成された操作画面を表示する表示手段と、を備える。【選択図】図２
2020074607.tif 000002
【特許請求の範囲】
【請求項１】
表示部を有する画像処理装置であって、
ジョブと、ユーザを識別する識別情報とを当該画像処理装置と接続される装置から受信する受信手段と、
ユーザからの入力された情報に基づいて、該ユーザの認証を行う認証手段と、
前記認証手段によってユーザが認証されたとき前記表示部に表示する、アプリケーションのアイコンを含む画面を認証されるユーザごとに関連付けて記憶する記憶手段と、
前記受信手段で受信したユーザ識別情報で識別されるユーザと、前記認証手段で認証されたユーザとが一致したとき、前記記憶手段に該ユーザと関連付けて記憶された画面と前記ジョブのショートカットとを前記表示部に表示させる表示制御手段と、
を備える画像処理装置。
【請求項２】
請求項１に記載の画像処理装置であって、
前記表示制御手段は、前記アプリケーションのアイコンを含む画面に前記ジョブのショートカットを追加した画面を前記表示部に表示する
ことを特徴とする画像処理装置。
【請求項３】
請求項１または請求項２に記載の画像処理装置であって、
前記表示制御手段で前記表示部に表示された前記ジョブのショートカットが選択されたとき、前記ジョブの実行を制御する制御手段
を備えることを特徴とする画像処理装置。
【請求項４】
請求項３に記載の画像処理装置であって、
前記表示制御手段は、前記表示部に表示された前記ジョブのショートカットが選択されたとき、該ジョブの設定変更可能な設定項目の設定値を前記表示部に表示し、
前記制御手段は、前記表示制御手段により前記表示部に表示された設定値が変更されたとき、変更された設定値を用いて前記ジョブの実行を制御する
ことを特徴とする画像処理装置。
【請求項５】
請求項３または４に記載の画像処理装置であって、
前記表示制御手段は、前記ジョブが実行されたとき、該ジョブのショートカットを削除して前記画面を前記表示部に表示する
ことを特徴とする画像処理装置。
【請求項６】
請求項３乃至５のいずれか一項に記載の画像処理装置であって、
前記表示制御手段は、前記ジョブのショートカットが選択されたとき、前記ジョブを実行するためのＵＩ部品及び前記ジョブを中止するためのＵＩ部品を前記表示部に表示し、    前記制御手段は、前記ジョブを実行するためのＵＩ部品が選択されたとき、前記ジョブの実行を制御する
ことを特徴とする画像処理装置。
【請求項７】
前記表示制御手段は、前記ジョブのショートカットの画像に前記ジョブの情報を含めて前記表示部に表示することを特徴とする請求項１乃至６のいずれか一項に記載の画像処理装置。
【請求項８】
請求項７に記載の画像処理装置であって、
前記ジョブは印刷ジョブであり、
前記ジョブのショートカットの画像に含まれるジョブの情報は、前記印刷ジョブの印刷部数、印刷枚数、印刷対象のファイル名、ジョブの登録日時のいずれかが含まれることを特徴とする画像処理装置。
【請求項９】
前記表示制御手段は、前記ジョブのショートカットが選択されたとき、前記ジョブの情報を表示するためのＵＩ部品を前記表示部に表示することを特徴とする請求項１または２に記載の画像処理装置。
【請求項１０】
表示部と、当該表示部に画面を表示させる表示制御手段と、ユーザが認証されたとき前記表示部に表示するアプリケーションのアイコンを含む画面を認証されるユーザごとに関連付けて記憶する記憶部と、を含む画像処理装置の表示制御方法であって、
ジョブと、ユーザを識別する識別情報とを当該画像処理装置と接続される装置から受信する受信ステップと、
ユーザからの入力された情報に基づいて、該ユーザの認証を行う認証ステップと、
前記受信ステップで受信したユーザ識別情報で識別されるユーザと、前記認証ステップで認証されたユーザとが一致したとき、前記記憶部に該ユーザと関連付けて記憶された画面と前記ジョブのショートカットとを前記表示部に表示させる表示制御ステップと、
を有する画像処理装置の表示制御方法。
【請求項１１】
表示部と、当該表示部に画面を表示させる表示制御手段と、ユーザが認証されたとき前記表示部に表示するアプリケーションのアイコンを含む画面を認証されるユーザごとに関連付けて記憶する記憶部と、を含む画像処理装置に実行させるための表示制御プログラムであって、
ジョブと、ユーザを識別する識別情報とを当該画像処理装置と接続される装置から受信する受信ステップと、
ユーザからの入力された情報に基づいて、該ユーザの認証を行う認証ステップと、
前記受信ステップで受信したユーザ識別情報で識別されるユーザと、前記認証ステップで認証されたユーザとが一致したとき、前記記憶部に該ユーザと関連付けて記憶された画面と前記ジョブのショートカットとを前記表示部に表示させる表示制御ステップと、
を有する表示制御プログラム。
【発明の詳細な説明】
【技術分野】
【０００１】
本発明は、アプリケーションを呼び出すためのショートカットを含む操作画面を表示する画像処理装置、表示制御方法及び表示制御プログラムに関する。
【背景技術】
【０００２】
近年、複合機において、各アプリケーション（以下、アプリとも呼ぶ）を呼び出すことができるショートカットアイコン（以下、単にショートカットとも呼ぶ）を、アプリの操作画面に表示させることで、操作性の高いＵＩを提供する技術が既に知られている。アプリの操作画面は、以下、アプリ操作画面とも呼び、例えばホーム画面である。
【０００３】
また、アプリの設定値を予め登録できる機能を示すマクロが知られ、このマクロをショートカットとすることも可能である。このマクロを用いる技術として、例えば、特許文献１には、操作性向上の目的で、登録した情報の呼び出しを容易にするＵＩが開示されている。
【発明の概要】
【発明が解決しようとする課題】
【０００４】
従来のショートカットは、画像処理装置の操作部の操作をワンタッチ（１ステップ）で呼び出すことはできる。しかし、リモートＰＣ（Personal Computer）から画像処理装置に送信したアプリのジョブの実行は、操作画面のショートカットから実行することができない。よって、一度そのアプリの画面に遷移した後に、実行したいジョブを選択する、又はジョブ一覧を表示して、実行したいジョブを選択するなどの操作が必要になり、操作ステップ数が多いという煩わしさがあった。
【０００５】
そこで、本発明は、上記問題に鑑みてなされたものであり、リモートＰＣから送信されたアプリのジョブに対し、少ない操作ステップ数でジョブを実行することができる画像処理装置、表示制御方法及び表示制御プログラムを提供することを目的とする。
【課題を解決するための手段】
【０００６】
本発明の一態様の画像処理装置は、表示部を有する画像処理装置であって、ジョブと、ユーザを識別する識別情報とを当該画像処理装置と接続される装置から受信する受信手段と、ユーザからの入力された情報に基づいて、該ユーザの認証を行う認証手段と、前記認証手段によってユーザが認証されたとき前記表示部に表示する、アプリケーションのアイコンを含む画面を認証されるユーザごとに関連付けて記憶する記憶手段と、前記受信手段で受信したユーザ識別情報で識別されるユーザと、前記認証手段で認証されたユーザとが一致したとき、前記記憶手段に該ユーザと関連付けて記憶された画面と前記ジョブのショートカットとを前記表示部に表示させる表示制御手段と、を備える。
【０００７】
また、本発明の他の態様の表示制御方法は、表示部と、当該表示部に画面を表示させる表示制御手段と、ユーザが認証されたとき前記表示部に表示するアプリケーションのアイコンを含む画面を認証されるユーザごとに関連付けて記憶する記憶部と、を含む画像処理装置の表示制御方法であって、ジョブと、ユーザを識別する識別情報とを当該画像処理装置と接続される装置から受信する受信ステップと、ユーザからの入力された情報に基づいて、該ユーザの認証を行う認証ステップと、前記受信ステップで受信したユーザ識別情報で識別されるユーザと、前記認証ステップで認証されたユーザとが一致したとき、前記記憶部に該ユーザと関連付けて記憶された画面と前記ジョブのショートカットとを前記表示部に表示させる表示制御ステップと、を有する。
【０００８】
また、本発明の他の態様の表示制御プログラムは、表示部と、当該表示部に画面を表示させる表示制御手段と、ユーザが認証されたとき前記表示部に表示するアプリケーションのアイコンを含む画面を認証されるユーザごとに関連付けて記憶する記憶部と、を含む画像処理装置に実行させるための表示制御プログラムであって、ジョブと、ユーザを識別する識別情報とを当該画像処理装置と接続される装置から受信する受信ステップと、ユーザからの入力された情報に基づいて、該ユーザの認証を行う認証ステップと、前記受信ステップで受信したユーザ識別情報で識別されるユーザと、前記認証ステップで認証されたユーザとが一致したとき、前記記憶部に該ユーザと関連付けて記憶された画面と前記ジョブのショートカットとを前記表示部に表示させる表示制御ステップと、を有する。
【発明の効果】
【０００９】
本発明によれば、リモートＰＣから送信されたアプリのジョブに対し、少ない操作ステップ数でジョブを実行することができる。
【図面の簡単な説明】
【００１０】
【図１】実施例１におけるＭＦＰのハードウェアの一例を示すブロック図。
【図２】実施例１におけるＭＦＰの機能の一例を示すブロック図。
【図３】ホーム画面を表示するための各種情報を含む画面情報（その１）の一例を示す図。
【図４】ホーム画面を表示するための各種情報を含む画面情報（その２）の一例を示す図。
【図５】アイコン画像情報の一例を示す図。
【図６】マクロ登録情報の一例を示す図。
【図７】ジョブの情報とジョブショートカットの情報との一例を示す図。
【図８】ホーム画面（その１）の一例を示す図。
【図９】ホーム画面（その２）の一例を示す図。
【図１０】ジョブショートカット押下時の吹き出し表示の一例を示す図。
【図１１】ジョブショートカット作成処理の一例を示すシーケンス図。
【図１２】ジョブショートカット表示処理の一例を示すシーケンス図。
【図１３】ジョブショートカット押下時の処理の一例を示すシーケンス図。
【図１４】ジョブショートカットの削除処理の一例を示すシーケンス図。
【図１５】ジョブの設定変更処理の一例を示すシーケンス図。
【発明を実施するための形態】
【００１１】
以下、本発明の実施例を図面に基づいて説明する。画像処理装置としてＭＦＰ（Multifunction Peripheral）を例にして説明する。
［実施例１］
＜ハードウェア＞
図１は、実施例１におけるＭＦＰ１０のハードウェアの一例を示すブロック図である。図１に示すように、ＭＦＰ１０は、制御部１１、主記憶部１２、補助記憶部１３、外部記録装置Ｉ／Ｆ部１４、ネットワークＩ／Ｆ部１５、操作部１６、表示部１７、エンジン部１８を備える。これら各構成は、バスを介して相互にデータ送受信可能に接続されている。
【００１２】
制御部１１は、コンピュータの中で、各装置の制御やデータの演算、加工を行うＣＰＵ（Central Processing Unit）である。また、制御部１１は、主記憶部１２や補助記憶部１３に記憶されたプログラムを実行する演算装置であり、入力装置や記憶装置からデータを受け取り、演算、加工した上で、出力装置や記憶装置に出力する。
【００１３】
主記憶部１２は、ＲＯＭ（Read Only Memory）やＲＡＭ（Random Access Memory）などである。主記憶部１２は、制御部１１が実行する基本ソフトウェアであるＯＳ（Operating System）やアプリケーションソフトウェアなどのプログラムやデータを記憶又は一時保存する記憶装置である。
【００１４】
補助記憶部１３は、ＨＤＤ（Hard Disk Drive）などであり、アプリケーションソフトウェアなどに関連するデータを記憶する記憶装置である。
【００１５】
外部記録装置Ｉ／Ｆ部１４は、ＵＳＢ（Universal Serial Bus）などのデータ伝送路を介して接続された記録媒体１９（例えば、フラッシュメモリ、ＳＤカードなど）とＭＦＰ１０とのインタフェースである。
【００１６】
また、記録媒体１９に、所定のプログラムを格納し、この記録媒体１９に格納されたプログラムは外部記録装置Ｉ／Ｆ部１４を介してＭＦＰ１０にインストールされる。インストールされた所定のプログラムは、ＭＦＰ１０により実行可能となる。
【００１７】
ネットワークＩ／Ｆ部１５は、有線及び／又は無線回線などのデータ伝送路により構築されたＬＡＮ（Local Area Network）、ＷＡＮ（Wide Area Network）などのネットワークを介して接続された通信機能を有する周辺機器とＭＦＰ１０とのインタフェースである。
【００１８】
操作部１６や表示部１７は、キースイッチ（ハードキー）とタッチパネル機能（ＧＵＩのソフトウェアキーを含む：Graphical User Interface）を備えたＬＣＤ（Liquid Crystal Display）とを含み、ＭＦＰ１０が有する機能を利用する際のＵＩ（User Interface）として機能する表示及び／又は入力装置である。
【００１９】
エンジン部１８は、例えばプリンタエンジンであり、画像データの入出力ユニットとして、紙原稿の読み取り転写紙への印刷を行う。エンジン部１８は、スキャンエンジン、ＦＡＸエンジンなどを含んでもよい。
【００２０】
＜機能＞
次に、ＭＦＰ１０の機能について説明する。図２は、実施例１におけるＭＦＰ１０の機能の一例を示すブロック図である。ＭＦＰ１０は、通信制御部１０１、ユーザ管理部１０２、エンジン制御部１０３、アプリ部１０４、画面制御部１０５、操作制御部１０６を備える。
【００２１】
通信制御部１０１は、ユーザがリモートＰＣ２０からＭＦＰ１０に送信したアプリケーション（アプリ）のジョブを受信する。通信制御部１０１は、外部端末（例えばリモートＰＣ２０）と、ＬＡＮなどで接続されている。
【００２２】
ユーザ管理部１０２は、入力手段１６２から入力されるユーザＩＤとパスワードなどを用いてユーザ認証を行い、認証されたユーザを管理する。ユーザ管理部１０２は、認証結果を入力手段１６２に通知する。
【００２３】
また、ユーザ管理部１０２は、ユーザのＩＤカードから接触又は非接触で読み取られたユーザＩＤなどによりユーザ認証を行なってもよい。ユーザ管理部１０２は、公知のいずれかの認証方法でユーザ認証された認証結果を、入力手段１６２に通知する。
【００２４】
エンジン制御部１０３は、ＭＦＰ１０が有するアプリを実行するための制御部である。例えば、プリンタアプリの場合は、エンジン制御部１０３は、用紙に印刷、用紙の搬送を制御する。また、ＦＡＸアプリの場合は、エンジン制御部１０３は、原稿の読み取り、読み取った画像データの送信を制御する。
【００２５】
アプリ部１０４は、ＭＦＰ１０が実行可能なアプリケーションである。例えば、アプリ部１０４は、プリンタアプリ、コピーアプリ、ＦＡＸアプリ、スキャンアプリなどである。アプリ部１０４は、ジョブ管理手段１４１、ジョブ情報記憶手段１４２、ショートカット作成手段１４３、ジョブ制御手段１４４を有する。
【００２６】
ジョブ管理手段１４１は、ユーザがリモートＰＣ２０からＭＦＰ１０に送信したアプリのジョブ（アプリジョブとも呼ぶ）を通信制御部１０１から受信し、アプリジョブの情報（ジョブ情報とも呼ぶ）に対しジョブＩＤを割り当ててジョブ情報記憶手段１４２に記憶する。
【００２７】
また、ジョブ管理手段１４１は、ジョブ情報を管理して、アプリジョブの受信、実行、削除と連動して、ジョブ情報記憶手段１４２に記憶されたジョブ情報を更新する。ジョブ管理手段１４１は、ジョブ情報の記憶が完了すると、ショートカット作成手段１４３に、ショートカットの作成を要求する。
【００２８】
また、ジョブ管理手段１４１は、ジョブの設定値に変更があった場合、その内容を画面管理手段１５１に通知する。
【００２９】
ジョブ情報記憶手段１４２は、ＭＦＰ１０が受信したアプリジョブの情報にジョブＩＤを関連付けて記憶する。
【００３０】
アプリジョブの情報とは、アプリジョブがプリンタジョブの場合、ジョブを送信したユーザ、ファイル名、印刷画像、用紙サイズ、ページ数、部数、ジョブを送信した日時などである。ジョブ情報記憶手段１４２は、アプリ毎のジョブの設定項目を含むジョブ情報を記憶する。ジョブ情報の詳細は、図６を用いて後述する。
【００３１】
ショートカット作成手段１４３は、ジョブ管理手段１４１からショートカットの作成要求を受けると、ジョブ情報記憶手段１４２から取得した情報からアプリジョブを実行するためのショートカット（以下、ジョブショートカットとも呼ぶ）を作成する。ジョブ情報記憶手段１４２から取得する情報は、例えば、ジョブＩＤ、アプリＩＤ、ジョブの設定項目の設定値などである。
【００３２】
ジョブショートカットとは、ユーザがそのジョブショートカットを押下することで、ジョブ情報記憶手段１４２に記憶されたアプリジョブを実行することができるショートカットである。
【００３３】
ショートカット作成手段１４３は、ジョブショートカットを作成すると、ジョブショートカットの情報を用いて、画面管理手段１５１に操作画面の画面情報を更新するよう要求する。ジョブショートカットの情報は、例えば、ジョブＩＤ、アプリＩＤ、ユーザＩＤなどを含む。ジョブショートカットの詳細は、図６を用いて後述する。
【００３４】
ジョブ制御手段１４４は、画面制御手段１５４からジョブショートカットに対応するジョブＩＤを通知された場合、そのジョブＩＤに対応するアプリジョブの実行をエンジン制御部１０３に要求する。例えば、ジョブ制御手段１４４は、通知されたジョブＩＤを有する、ジョブ情報記憶手段１４２に記憶されるジョブ情報に基づき、ジョブの実行を制御する。
【００３５】
また、ジョブ制御手段１４４は、画面制御手段１５４からジョブの設定変更を通知された場合、通知された設定変更の内容に基づいて、ジョブ情報記憶手段１４２に記憶されるジョブ情報内の設定項目の設定値を変更する。
【００３６】
画面制御部１０５は、操作画面を制御する。操作画面は、各アプリケーションを呼び出すためのショートカットを含む。操作画面は、マクロを呼び出すためのショートカットを含んでもよい。また、操作画面は、ユーザ認証後に表示部１７にデフォルトで表示されるホーム画面でもよい。
【００３７】
画面制御部１０５は、画面管理手段１５１、画面記憶手段１５２、画面作成手段１５３、画面制御手段１５４を有する。
【００３８】
画面管理手段１５１は、操作画面の画面情報を管理する。画面管理手段１５１は、ショートカット作成手段１４３から画面情報に対する更新要求を受けると、作成されたジョブショートカットの情報を、ジョブを要求したユーザの画面情報に追加する。
【００３９】
画面情報は、ショートカットの位置、ショートカットのアイコンＩＤ、アプリＩＤ、マクロの登録番号、ジョブＩＤなどを含む。画面情報の詳細は、図３を用いて後述する。
【００４０】
また、画面管理手段１５１は、ジョブショートカットの情報を追加する際、操作画面でジョブショートカットが優先的に表示されるように、ジョブショートカットの情報を画面情報に追加してもよい。これにより、ジョブショートカットを操作画面から見つけやすくなり、ユーザはリモートＰＣ２０から要求したアプリジョブをすぐに実行することができるようになる。
【００４１】
また、画面管理手段１５１は、ジョブショートカットの情報を追加する際、ジョブショートカットのアプリに応じて操作画面のジョブショートカットの表示位置が変わるように、ジョブショートカットの情報を画面情報に追加してもよい。これにより、アプリに優先度をつけて、アプリ毎にジョブショートカットの表示位置を変えることができ、よりテンポラリーなジョブほど優先的に表示されるようにすることができる。
【００４２】
画面情報記憶手段１５２は、操作画面の画面情報をユーザ毎に記憶する。操作画面は、ユーザ毎にカスタマイズできるようになっている。また、画面情報記憶手段１５２は、ショートカットを表示するためのアイコン画像を示すアイコン画像情報、マクロの設定値を示すマクロ登録情報などを記憶する。
【００４３】
画面作成手段１５３は、入力手段１６２からＭＦＰ１０にログインしたユーザの通知を受けると、画面情報記憶手段１５２からログインユーザの画面情報を参照し、ショートカット又はジョブショートカットを所定位置に配置するなどして操作画面を作成する。画面作成手段１５３は、作成した操作画面を表示手段１６１に出力する。
【００４４】
画面制御手段１５４は、ユーザが入力手段１６２を用いて押下した操作画面のショートカットに応じて、実行するジョブＩＤを特定する。画面制御手段１５４は、特定してジョブＩＤをジョブ制御手段１４４に通知すると共にジョブの実行を要求する。
【００４５】
操作制御部１０６は、ＭＦＰ１０のオペレーションパネル（操作部１６、表示部１７）を制御する。操作制御部１０６は、表示手段１６１、入力手段１６２を有する。
【００４６】
表示手段１６１は、ユーザに対し、画面作成手段１５３により作成された操作画面を表示する。操作画面には、ユーザ別のホーム画面が含まれる。
【００４７】
入力手段１６２は、ユーザが押下したショートカットを検知する。入力手段１６２は、押下されたショートカットの位置などからどのアプリ、又はどのアプリのジョブか押下されたかを特定し、画面制御手段１５４に通知する。
【００４８】
ＭＦＰ１０は、以上の構成を有することで、リモートＰＣ２０から要求されたジョブを実行するためのショートカットを、操作画面に表示することができ、ジョブを実行するための操作ステップ数を減らすことができる。
【００４９】
なお、通信制御部１０１は、例えばネットワークＩ／Ｆ部１５により実現されうる。ユーザ管理部１０２、アプリ部１０４、画面制御部１０５は、例えば制御部１１及びワークメモリとしての主記憶部１２により実現されうる。エンジン制御部１０３は、例えば制御部１１及び／又はエンジン部１８により実現されうる。操作制御部１０６は、例えば操作部１６及び表示部１７により実現されうる。
【００５０】
＜データ構造＞
次に、ＭＦＰ１０で用いる各種データのデータ構造について説明する。なお、以下では、操作画面は、ユーザ別のホーム画面を例とし、アプリジョブは、プリンタジョブを例とする。
【００５１】
（画面情報）
図３は、ホーム画面を表示するための各種情報を含む画面情報（その１）の一例を示す図である。図３に示す画面情報は、例えばユーザＡのホーム画面とする。画面情報は、画面情報記憶手段１５４に記憶される。図３に示す画面情報は、例えばユーザＩＤに対応させて記憶される。
【００５２】
画面情報は、配置ＩＤ、座標、アイコンＩＤ、表示画面オーナーＩＤ（アプリＩＤ）、登録番号、ジョブＩＤ、ジョブ情報を関連付けて保持する。配置ＩＤは、ショートカットの配置位置を識別する番号を示す。座標は、ホーム画面内での座標情報を示す。アイコンＩＤは、ショートカット内に表示されるアイコン画像と対応する番号を示す。
【００５３】
表示画面オーナーＩＤは、アプリの操作画面を表示するためのアプリを識別する番号を示す。登録番号は、マクロを識別するための登録番号を示す。マクロの登録番号は、アプリ毎に管理される番号である。ジョブＩＤは、リモートＰＣ２０から要求されたジョブを識別するための番号を示す。ジョブＩＤは、アプリ毎に異なる番号が付与される。ジョブ情報は、ショートカット作成手段１４３から取得したジョブの情報を示す。
【００５４】
図３に示す例は、リモートＰＣ２０により、アプリジョブが実行要求されていない場合の画面情報を示す。
【００５５】
また、図３に示す例では、アプリのショートカットとマクロのショートカットとが同じホーム画面内に配置される。例えば、配置ＩＤが「１」のコピーアプリのコピーショートカットと、配置ＩＤが「６」のコピーアプリの両面２ｉｎ１ショートカットとが同じホーム画面に表示される。また、表示画面オーナーＩＤの（）内は、ショートカットの名称を示す。ショートカットの名称は、表示画面オーナーＩＤとは別に管理されてもよい。
【００５６】
図４は、ホーム画面を表示するための各種情報を含む画面情報（その２）の一例を示す図である。図４に示す例は、リモートＰＣ２０により、プリンタジョブが実行要求された場合の画面情報を示す。
【００５７】
図４に示す例では、プリンタジョブのジョブＩＤ「１００」のショートカットが一行目の左に優先的に表示されるよう画面情報にジョブショートカットの情報が追加されている。なお、ジョブ情報には、ファイル名しか記載されていないが、他にも、部数、ページ数、送信日時、サムネイルなどを含めてもよい。サムネイルは、ショートカット作成手段１４３により、印刷画像の１枚目を低解像度にして作成される。これにより、ユーザが、ジョブショートカットのアイコン画像を見ると、その印刷イメージを把握することができる。
【００５８】
図４に示す例では、配置ＩＤ「２」〜「４」は空いているが、空けなくてもよい。ジョブショートカットの情報を追加する場合、画面管理手段１５１は、まず、図３に示す画面情報の最後尾に追加する。次に、画面管理手段１５１は、ジョブＩＤがあるショートカットを優先的に表示するために、ジョブショートカットの情報について配置ＩＤが一番小さくなるようにソートしてもよい。
【００５９】
また、画面管理手段１５１は、ジョブショートカットをホーム画面の１ページ目の１行目に表示されるようにし、通常アプリのショートカットはジョブショートカットの次の行から表示されるように画面情報をソートしてもよい。
【００６０】
また、画面管理手段１５１は、ジョブショートカットを実行するアプリに応じて、ジョブショートカットの情報をソートするようにしてもよい。画面管理手段１５１は、必ずしもジョブショートカットの情報をソートする必要はない。
【００６１】
（アイコン画像情報）
図５は、アイコン画像情報の一例を示す図である。図５に示すアイコン画像情報は、アイコンＩＤとショートカットのアイコン画像とが対応付けられる。アイコン画像は、予め登録されているアイコン画像である。アイコン画像情報は、画面情報記憶手段１５４に記憶される。
【００６２】
（マクロ登録情報）
図６は、マクロ登録情報の一例を示す図である。図６に示すように、マクロ登録情報は、各登録番号に対して、登録名称と各動作設定とを関連付けて保持する。マクロは、予めユーザが登録しておく。この登録番号が、ホーム画面の画面情報（図３、４参照）内の登録番号とリンクしている。
【００６３】
例えば、登録番号「１」のマクロ機能は、登録名称が「両面２ｉｎ１」であり、各動作設定が、マクロ登録情報に設定されている。登録番号「１０」、「１００」についても同様である。マクロの登録番号は、アプリ毎に別々に管理される。
【００６４】
（ジョブの情報とジョブショートカットの情報）
図７は、ジョブの情報とジョブショートカットの情報との一例を示す図である。図７に示す例では、プリンタジョブに関するデータ例を示す。図７に示すプリンタジョブの情報は、ジョブＩＤ、ユーザ名、データサイズ、登録日時、ページ数、部数、印刷用紙サイズ、ステイプル位置、ホールパンチ、ファイル名などの情報を含む。プリンタジョブの情報は、ジョブ情報記憶手段１４２に記憶される。
【００６５】
図７に示すジョブショートカットの情報は、ジョブＩＤ、ファイル名、サムネイル画像パス、ジョブ登録日時、ページ数、部数、ユーザ名を含む。ジョブショートカットの情報は、ショートカット作成手段１４３によりジョブ情報から抽出して作成される。
【００６６】
ショートカット作成手段１４３は、作成したジョブショートカットの情報を、画面管理手段１５１に出力する。画面管理手段１５１は、取得したジョブショートカットの情報を、画面情報に追加する（図４参照）。
【００６７】
＜ホーム画面＞
次に、ホーム画面について説明する。図８は、ホーム画面（その１）の一例を示す図である。図８に示すホーム画面（その１）は、リモートＰＣ２０からジョブが要求されていない状態で、ユーザがログインしたときのホーム画面である。
【００６８】
図８に示すホーム画面は、図３に示す画面情報に基づき、画面作成手段１５３が作成した画面である。図８に示すホーム画面には、各アプリケーション及びアプリケーションの動作設定を登録したマクロを呼び出すためのショートカットアイコン（ショートカット）の一覧が表示される。
【００６９】
例えば、標準搭載アプリのコピー、ファクス、プリンタのショートカットなどが表示される。また、マクロを呼び出すためのショートカットには、マクロの登録番号が表示される。例えば、両面２ｉｎ１ショートカットは、マクロの登録番号「１」がショートカットの左下に表示される。なお、このマクロの登録番号は、ショートカットとの対応関係が分かれば、ショートカットのどの位置にあってもよい。
【００７０】
図９は、ホーム画面（その２）の一例を示す図である。図９に示すホーム画面（その２）は、リモートＰＣ２０からジョブが要求された状態で、ユーザがログインしたときのホーム画面である。
【００７１】
図９に示すホーム画面は、図４に示す画面情報に基づき、画面作成手段１５３が作成した画面である。ジョブショートカット２０１が、ホーム画面内で優先的に配置されている。なお、図４に示すジョブ情報には、ファイル名しか記載されていないが、ジョブショートカットの情報（図７参照）が含まれているとする。
【００７２】
画面作成手段１５３は、ジョブショートカットの情報から所定数の情報を取得し、所定数の情報をショートカットに重ねて表示するようにする。例えば、アイコン画像２０２には、実行するアプリのアイコンが表示され、部数２０３には「３」が表示され、ページ数２０４には「１３」が表示され、ファイル名２０５には「企画書．ｄｏｃ」が表示され、登録日時２０６には「１０／３０  １５：５０」が表示される。
【００７３】
この所定数の情報は、そのジョブの内容を表すことができる設定項目を予め決めておけばよい。この所定数の情報は、少なくともファイル名又は登録日時などの他のジョブと識別できる情報が表示されればよく、複数の情報が必ずしも表示される必要はない。
【００７４】
画面作成手段１５３は、どの情報をどの位置に配置するかは予め決めておけばよい。例えば、部数は、ジョブショートカットの左上、ページ数は、ジョブショートカットの左下と決定される。また、画面作成手段１５３は、ジョブショートカットの名称については、ジョブ情報にファイル名及び／登録日時がある場合は、ファイル名及び／又は登録日時が優先的に表示されるようにする。
【００７５】
また、図４に示す画面情報のジョブ情報欄に、サムネイル画像パスがある場合は、ジョブショートカットのアイコン画像２０２としてサムネイルが優先的に表示される。ジョブ情報欄にサムネイル画像パスがなければ、ジョブショートカットのアイコン画像２０２は、このジョブのアプリに対応するアイコン画像が表示される。
【００７６】
アプリのアイコン画像を表示する際、例えば、ジョブＩＤからアプリが識別できるようにしておけばよい。例えば、ジョブＩＤ１００番台はプリンタアプリであり、２００番台はスキャナアプリであり、３００番台はＦＡＸアプリであるというように決めておけばよい。
【００７７】
なお、ジョブショートカットがある場合の各ショートカットの配置位置は、図９に示す例に限られない。
【００７８】
図１０は、ジョブショートカット押下時の吹き出し表示の一例を示す図である。図１０に示す例では、ジョブショートカットが押下された場合、吹き出し３０１が表示される。吹き出し３０１の中には、例えば、ジョブ（印刷）を実行するためのＵＩ部品（例えばボタン）、ジョブの詳細情報を表示するためのＵＩ部品、ジョブの設定を変更するためのＵＩ部品、ジョブを中止するためのＵＩ部品が含まれる。吹き出し３０１内には、少なくとも印刷実行と、印刷中止とのＵＩ部品が含まれればよい。
【００７９】
これにより、ジョブショートカットからジョブを中止することができたり、ジョブの詳細情報を表示したりすることができる。
【００８０】
図１０に示す印刷実行ボタンが押下されると、印刷ジョブが実行される。図１０に示す詳細情報ボタンが押下されると、ジョブの詳細情報が表示される。ジョブの詳細情報は、例えば、画面情報内のジョブ情報である。画面情報内のジョブは、既に表示されている情報を含んでもよい。例えば、部数、ファイル名、ページ数、ジョブＩＤ、ユーザ名などが詳細情報として表示される。
【００８１】
図１０に示す設定変更ボタンが押下されると、ジョブの設定項目のうち、設定変更可能な設定項目の設定値が表示され、ユーザは設定変更が可能となる。プリンタ（印刷）ジョブの場合、設定変更可能な設定項目は、部数、データサイズなど、リモートＰＣ２０側で生成され、変更できないもの以外をいう。
【００８２】
この設定変更可能な設定項目は、ＭＦＰ１０に、アプリ毎に予め設定されていればよい。これにより、入力手段１６２による設定変更ボタンの検知後に、表示手段１６１は、そのアプリに対応する設定変更画面を表示することができる。
【００８３】
図１０に示す印刷中止ボタンが押下されると、印刷ジョブが中止される。印刷ジョブが中止されると、そのジョブショートカットはホーム画面から削除される。
【００８４】
＜動作＞
次に、実施例１におけるＭＦＰ１０の動作について説明する。以下、ＭＦＰ１０の表示制御処理の各処理について詳細に説明する。
【００８５】
（ジョブショートカット作成処理）
図１１は、ジョブショートカット作成処理の一例を示すシーケンス図である。図１１に示すステップＳ１０１で、ユーザは、リモートＰＣ２０を用いて、プリンタジョブを実行する。
【００８６】
ステップＳ１０２で、リモートＰＣ２０は、ユーザに要求されたプリンタジョブを、通信制御部１０１に送信する。このとき、ジョブを要求したユーザのユーザＩＤや、ジョブの設定値なども送信される。
【００８７】
ステップＳ１０３で、通信制御部１０１は、受信したプリンタジョブに対し、ジョブ管理手段１４１に登録を要求する。
【００８８】
ステップＳ１０４で、ジョブ管理手段１４１は、プリンタジョブの情報をジョブ情報記憶手段１４２に登録する（図７参照）。
【００８９】
ステップＳ１０５で、ジョブ情報記憶手段１４２は、プリンタジョブの情報の登録が完了したらその旨をジョブ管理手段１４１に通知する。
【００９０】
ステップＳ１０６で、ジョブ管理手段１４１は、プリンタジョブの情報の登録が完了すれば、プリンタジョブショートカットの作成を、ショートカット作成手段１４３に要求する。
【００９１】
ステップＳ１０７、Ｓ１０８で、ショートカット作成手段１４３は、ジョブ情報記憶手段１４２から、新規に登録したプリンタジョブの情報を取得する。
【００９２】
ステップＳ１０９で、ショートカット作成手段１４３は、プリンタジョブショートカットを作成する。このとき、ショートカット作成手段１４３は、サムネイル画像を作成したり、部数、ページ数、ユーザＩＤなどを抽出したりしてジョブショートカットの情報を作成する。
【００９３】
ステップＳ１１０で、ショートカット作成手段１４３は、プリンタジョブショートカットの情報の登録又は画面情報の更新を、画面管理手段１５１に要求する。
【００９４】
ステップＳ１１１で、画面管理手段１５１は、プリンタジョブショートカットの情報に含まれるユーザＩＤに対応する画面情報に対し、ジョブショートカットの情報を登録（追加）する。
【００９５】
ステップＳ１１２で、ジョブ情報記憶手段１４２は、画面管理手段１５１に対し、プリンタジョブショートカットの情報の登録が完了したことを通知する。この後、画面管理手段１５１は、プリンタジョブショートカットの情報を、ホーム画面内で優先的に表示されるように並べ替えてもよい。
【００９６】
ステップＳ１１３で、画面管理手段１５１は、プリンタジョブショートカットの情報の登録が完了したことをショートカット作成手段１４３に通知する。
【００９７】
ステップＳ１１４で、ショートカット作成手段１４３は、プリンタジョブショートカットの登録が完了したことをジョブ管理手段１４１に通知する。
【００９８】
これにより、ホーム画面を表示するための画面情報に、プリンタジョブショートカットの情報が登録され、ホーム画面の表示の順が整う。
【００９９】
（ジョブショートカット表示処理）
図１２は、ジョブショートカット表示処理の一例を示すシーケンス図である。図１２に示すステップＳ２０１で、ユーザは、入力手段１６２に対してユーザ認証のデータを入力する。
【０１００】
ステップＳ２０２で、入力手段１６２は、ユーザ管理部１０２に対し、入力されたデータを用いてユーザ認証を行い、ユーザを特定するよう要求する。
【０１０１】
ステップＳ２０３で、ユーザ管理部１０２は、ユーザ認証を行い、特定されたユーザのユーザＩＤを入力手段１６２に通知する。
【０１０２】
ステップＳ２０４で、入力手段１６２は、ユーザＩＤを指定して、ログインしたユーザのホーム画面を作成するよう、画面作成手段１５３に要求する。
【０１０３】
ステップＳ２０５で、画面作成手段１５３は、ユーザＩＤを指定して、ログインしたユーザのホーム画面に表示するショートカットの取得を、画面情報記憶手段１５２に要求する。
【０１０４】
ステップＳ２０６で、画面情報記憶手段１５２は、要求されたユーザＩＤに対応する画面情報を、画面作成手段１５３に返す。
【０１０５】
ステップＳ２０７で、画面作成手段１５３は、取得した画面情報に基づいて、プリンタジョブショートカットを含んだホーム画面を作成する。画面作成手段１５３は、ショートカットやプリンタジョブショートカットを配置ＩＤや座標に対応させて描画する。
【０１０６】
ステップＳ２０８で、画面作成手段１５３は、ホーム画面を作成すると、表示手段１６１にホーム画面の表示要求を行う。
【０１０７】
ステップＳ２０９で、表示手段１６１は、プリンタジョブショートカットを含むホーム画面を表示する（図９参照）。
【０１０８】
これにより、ユーザは、ワンタッチでアプリジョブを実行できるようになる。また、ジョブショートカットを、ホーム画面内の視認性の高い位置に配置することが可能なので、ユーザは、すぐにジョブショートカットを見つけることができる。
【０１０９】
（ジョブショートカット押下時の処理）
図１３は、ジョブショートカット押下時の処理の一例を示すシーケンス図である。図１３に示すステップＳ３０１で、ユーザは、プリンタジョブショートカットを押下する。
【０１１０】
ステップＳ３０２で、入力手段１６２は、押下されたプリンタジョブショートカットを特定し、そのジョブＩＤを画面制御手段１５４に通知する。
【０１１１】
ステップＳ３０３で、画面制御手段１５４は、通知されたジョブＩＤを指定し、ジョブ制御手段１４４に対し、プリンタジョブの実行を要求する。
【０１１２】
ステップＳ３０４、Ｓ３０５で、ジョブ制御手段１４４は、指定されたジョブＩＤのプリンタジョブの情報をジョブ情報記憶手段１４２から取得する。
【０１１３】
ここで、ジョブ情報記憶手段１４２からジョブの情報を取得するのは、正確なジョブの情報を取得するためである。画面情報記憶手段１５２にも、ジョブ情報は記憶されているが、このジョブ情報は表示用に記憶するものである。よって、実際にジョブを実行するときは、ジョブ情報記憶手段１４２からプリンタジョブの情報を取得する。
【０１１４】
ステップＳ３０６で、ジョブ制御手段１４４は、取得したプリンタジョブの情報を基に、プリンタジョブの実行を、エンジン制御部１０３に要求する。
【０１１５】
ステップＳ３０７で、エンジン制御部１０３は、プリンタエンジンを制御して、印刷を実行する。
【０１１６】
ステップＳ３０８で、エンジン制御部１０３は、ジョブ制御手段１４４に対し、印刷完了を通知する。
【０１１７】
これにより、プリンタジョブショートカットを押下することで、すぐにプリンタジョブを実行することができる。
【０１１８】
（ジョブショートカットの削除処理）
図１４は、ジョブショートカットの削除処理の一例を示すシーケンス図である。図１４に示す処理は、図１３に示すステップＳ３０８の後に行われる。
【０１１９】
図１４に示すステップＳ４０１で、ジョブ制御手段１４４は、ジョブ管理手段１４１に対し、印刷完了を通知する。
【０１２０】
ステップＳ４０２、Ｓ４０３で、ジョブ管理手段１４１は、完了したプリンタジョブの情報を、ジョブ情報記憶手段１４２から削除する。
【０１２１】
ステップＳ４０４で、ジョブ管理手段１４１は、ジョブＩＤを指定して、プリンタジョブショートカットの削除を画面管理手段１５１に要求する。
【０１２２】
ステップＳ４０５、Ｓ４０６で、画面管理手段１５１は、指定されたジョブＩＤに対応するプリンタジョブショートカットの情報を、画面情報記憶手段１５２から削除する。
ステップＳ４０７で、画面管理手段１５１は、画面情報の更新を、画面作成手段１５３に通知する。
【０１２３】
ステップＳ４０８で、画面作成手段１５３は、ログインしたユーザのユーザＩＤを指定して、ホーム画面に表示するショートカットを取得するよう画面情報記憶手段１５２に要求する。
【０１２４】
ステップＳ４０９で、画面情報記憶手段１５２は、印刷完了したプリンタジョブショートカットが削除された画面情報を画面作成手段１５３に返す。
【０１２５】
ステップＳ４１０で、画面作成手段１５３は、プリンタジョブショートカットを含まないホーム画面を作成する。
【０１２６】
ステップＳ４１１で、画面作成手段１５３は、ホーム画面を更新すると、表示手段１６１に対し、ホーム画面の更新を要求する。
【０１２７】
ステップＳ４１２で、表示手段１６１は、プリンタジョブショートカットを含まないホーム画面を表示する。
【０１２８】
これにより、実行されたジョブのジョブショートカットは削除されるので、不必要にジョブショートカットが増加することを防ぐことができる。
【０１２９】
（ジョブの設定変更処理）
図１５は、ジョブの設定変更処理の一例を示すシーケンス図である。図１５に示す処理は、図１０に示す吹き出し３０１の設定変更ボタンを押下されたときに行われる処理である。
【０１３０】
ステップＳ５０１で、ユーザは、入力手段１６２を用いて、プリンタジョブショートカットから設定変更を選択する。
【０１３１】
ステップＳ５０２で、入力手段１６２は、押下されたプリンタジョブショートカットの設定が変更された場合、ジョブＩＤを指定して変更内容を画面制御手段１５４に通知する。ここでは、部数の変更とするが、これに限られない。
【０１３２】
ステップＳ５０３で、画面制御手段１５４は、ジョブＩＤを指定して、変更された部数をジョブ制御手段１４４に通知する。
【０１３３】
ステップＳ５０４、Ｓ５０５で、ジョブ制御手段１４４は、指定されたジョブＩＤに対応するジョブ情報の部数を変更する。
【０１３４】
ステップＳ５０６で、ジョブ制御手段１４４は、ジョブＩＤを指定して変更された部数をジョブ管理手段１４１に通知する。
【０１３５】
ステップＳ５０７で、ジョブ管理手段１４１は、ジョブＩＤと変更された部数を、プリンタジョブショートカット設定変更通知と共に、画面管理手段１５１に出力する。
【０１３６】
ステップＳ５０８、Ｓ５０９で、画面管理手段１５１は、画面情報記憶手段１５２に記憶されたジョブショートカットの情報に対し、指定されたジョブＩＤに対応するジョブショートカット情報のジョブ情報の部数を、変更された部数に上書きする。
【０１３７】
ステップＳ５１０で、画面管理手段１５１は、画面作成手段１５３に対し、画面情報の更新を通知する。
【０１３８】
ステップＳ５１１で、画面作成手段１５３は、ログインしたユーザのユーザＩＤを指定して、ホーム画面に表示するショートカットを取得するよう画面情報記憶手段１５２に要求する。
【０１３９】
ステップＳ５１２で、画面情報記憶手段１５２は、更新されたプリンタジョブショートカットの情報を含む画面情報を画面作成手段１５３に返す。
【０１４０】
ステップＳ５１３で、画面作成手段１５３は、情報更新されたプリンタジョブショートカットを含むホーム画面を作成する。
【０１４１】
ステップＳ５１４で、画面作成手段１５３は、ホーム画面を更新すると、表示手段１６１に対し、ホーム画面の更新を要求する。
【０１４２】
ステップＳ５１５で、表示手段１６１は、情報更新されたプリンタジョブショートカットを含むホーム画面を表示する。
【０１４３】
これにより、ＭＦＰ１０でジョブの設定を変更することができ、ユーザは再度リモートＰＣ２０からジョブを実行しなくてもすむ。
【０１４４】
［変形例］
上記実施例では、プリンタジョブについて説明したが、リモートＰＣ２０から要求されるジョブは、スキャンアプリ、ＦＡＸアプリ、コピーアプリなどのジョブでもよい。例えば、スキャンアプリの場合、リモートＰＣ２０で、データを読み込む際の解像度、原稿サイズ、データの保存先などの設定値を設定して、ユーザはジョブを要求する。ユーザは、ＭＦＰ１０で原稿をセットして、ジョブショートカットを押下することにより、このスキャンジョブが実行される。
【０１４５】
また、ＦＡＸアプリの場合は、リモートＰＣで、送信先番号や、発信者表示の有無、送信日時の有無などの設定値を設定して、ユーザはジョブを要求する。ユーザは、ＭＦＰ１０で原稿をセットして、ジョブショートカットを押下することにより、このＦＡＸジョブが実行される。
【０１４６】
よって、ＭＦＰ１０は、スキャンジョブやＦＡＸジョブやコピージョブの場合にも上記実施例と同様にして表示制御することができる。プリンタジョブとその他のジョブとの違いは、リモートＰＣ２０から画像データが送信されるか否かの違いである。本発明における表示制御処理は、画像データがなくても、各ジョブの設定項目の設定値がジョブ情報に含まれれば適用可能である。
【０１４７】
また、実施例の画像処理装置で実行される表示制御プログラムは、インストール可能な形式又は実行可能な形式のファイルでＣＤ−ＲＯＭ、フレキシブルディスク（ＦＤ）、ＣＤ−Ｒ、ＤＶＤ（Digital Versatile Disk）等のコンピュータで読み取り可能な記録媒体に記録されて提供される。
【０１４８】
また、実施例の画像処理装置で実行される表示制御プログラムを、インターネット等のネットワークに接続されたコンピュータ上に格納し、ネットワーク経由でダウンロードさせることにより提供するように構成してもよい。また、実施例の画像処理装置で実行される表示制御プログラムをインターネット等のネットワーク経由で提供または配布するように構成してもよい。
【０１４９】
また、実施例の画像処理装置で実行される表示制御プログラムを、ＲＯＭ等に予め組み込んで提供するように構成してもよい。
【０１５０】
実施例の画像処理装置で実行される表示制御プログラムは、前述した各手段又は各部を含むモジュール構成となっている。実際のハードウェアとしては、制御部１１（プロセッサ）が補助記憶部１３からプログラムを読み出して実行する。これにより上記各手段又は各部のうち１又は複数の各手段又は各部が主記憶部１２上にロードされ、１又は複数の各手段又は各部が主記憶部１２上に生成されるようになっている。
【０１５１】
なお、本発明は、上記実施例そのままに限定されるものではなく、実施段階ではその要旨を逸脱しない範囲で構成要素を変形して具体化することができる。また、上記実施例に開示されている複数の構成要素の適宜な組み合わせにより、種々の発明を形成することができる。例えば、実施例に示される全構成要素からいくつかの構成要素を削除してもよい。
【符号の説明】
【０１５２】
１０  ＭＦＰ
１１  制御部
１２  主記憶部
１３  補助記憶部
１４  外部記憶装置Ｉ／Ｆ部
１５  ネットワークＩ／Ｆ部
１６  操作部
１７  表示部
１８  エンジン部
１０１  通信制御部
１０２  ユーザ管理部
１０３  エンジン制御部
１０４  アプリ部
１０５  画面制御部
１０６  操作制御部
１４１  ジョブ管理手段
１４２  ジョブ情報記憶手段
１４３  ショートカット作成手段
１４４  ジョブ制御手段
１５１  画面管理手段
１５２  画面情報記憶手段
１５３  画面作成手段
１６１  表示手段
１６２  入力手段
【先行技術文献】
【特許文献】
【０１５３】
【特許文献１】特開２０１０−１１４８２５号公報
【図１】
2020074607.tif 000003
【図２】
2020074607.tif 000004
【図３】
2020074607.tif 000005
【図４】
2020074607.tif 000006
【図５】
2020074607.tif 000007
【図６】
2020074607.tif 000008
【図７】
2020074607.tif 000009
【図８】
2020074607.tif 000010
【図９】
2020074607.tif 000011
【図１０】
2020074607.tif 000012
【図１１】
2020074607.tif 000013
【図１２】
2020074607.tif 000014
【図１３】
2020074607.tif 000015
【図１４】
2020074607.tif 000016
【図１５】
2020074607.tif 000017